(57)【要約】【課題】用紙詰まりが発生した場合にも、整合部材が邪魔にならず、詰まった用紙の取り出しが容易で、使い勝手の良い中間搬送装置を得る。【解決手段】用紙搬入部、用紙搬出部及び用紙搬入部から搬送された用紙を収納した後に、用紙搬出部へ搬送する用紙収納部を有し、用紙収納部は、用紙の搬送方向の整合を行う第１の整合部材と、第１の整合部材側に配置された第１の用紙保持部材と、第１の用紙保持部材に対向して配置され、用紙の搬送方向に直交する方向の整合を行う第２の整合部材と、第２の整合部材側に配置された第２の用紙保持部材と、第２の整合部材及び第２の用紙保持部材を一体的に回動させる回動軸と、を有する中継搬送装置とする。【選択図】図４
2009274823.tif 000002
【特許請求の範囲】
【請求項１】
用紙搬入部、用紙搬出部、及び前記用紙搬入部から搬送された用紙を収納した後に、前記用紙搬出部へ搬送する用紙収納部を有する中継搬送装置であって、
前記用紙収納部は、用紙の搬送方向の整合を行う第１の整合部材と、
該第１の整合部材側に配置された第１の用紙保持部材と、
該第１の用紙保持部材に対向して配置され、用紙の搬送方向に直交する方向の整合を行う第２の整合部材と、
該第２の整合部材側に配置された第２の用紙保持部材と、
前記第２の整合部材及び前記第２の用紙保持部材を一体的に回動させる回動軸と、を有することを特徴とする中継搬送装置。
【請求項２】
前記回動軸は、前記用紙収納部の下方であって、前記用紙収納部に収納される用紙の先端の辺に平行な方向に配置されていることを特徴とする請求項１に記載の中継搬送装置。
【請求項３】
前記回動軸は、前記用紙収納部に収納された用紙の側端の辺に平行な方向に配置されていることを特徴とする請求項１に記載の中継搬送装置。
【請求項４】
用紙に画像を形成する画像形成装置と、
請求項１乃至３のいずれか一項に記載の中継搬送装置と、
前記中継搬送装置から搬送された用紙に対して後処理を行う後処理装置と、
を有することを特徴とする画像形成システム。
【発明の詳細な説明】
【技術分野】
【０００１】
本発明は、複数の用紙処理装置間に配置される中継搬送装置及び該中継搬送装置を含む画像形成システムに関する。
【背景技術】
【０００２】
従来より、用紙に画像を形成する画像形成装置と、画像形成された用紙に穿孔処理、綴じ処理、折り畳み処理、製本処理等の後処理を行う後処理装置との間に、中継搬送装置が配置されている。中継搬送装置では、後処理装置と画像形成装置の処理速度の差分の吸収や、後処理装置へ搬送される用紙の整合等が行われている。
【０００３】
このような、中間搬送装置として、以下の特許文献１のようなものがある。
【特許文献１】特開２００７−１３７５３６号公報
【発明の開示】
【発明が解決しようとする課題】
【０００４】
上記特許文献１に記載された中間搬送装置である用紙整合装置は、高速処理が可能で、且つ、安定した用紙搬送が可能である。しかしながら、極めてまれではあるが、用紙詰まりが発生した場合、詰まった用紙の取り出しの際に、用紙の搬送方向に直交する方向の整合を行う整合部材が邪魔になり、容易に取り出せない場合があった。
【０００５】
本発明は上記問題に鑑み、用紙詰まりが発生した場合にも、整合部材が邪魔にならず、詰まった用紙の取り出しが容易で、使い勝手の良い中間搬送装置を得ることを目的とするものである。
【課題を解決するための手段】
【０００６】
上記の目的は、下記に記載する発明により達成される。
【０００７】
１．用紙搬入部、用紙搬出部、及び前記用紙搬入部から搬送された用紙を収納した後に、前記用紙搬出部へ搬送する用紙収納部を有する中継搬送装置であって、前記用紙収納部は、用紙の搬送方向の整合を行う第１の整合部材と、該第１の整合部材側に配置された第１の用紙保持部材と、該第１の用紙保持部材に対向して配置され、用紙の搬送方向に直交する方向の整合を行う第２の整合部材と、該第２の整合部材側に配置された第２の用紙保持部材と、前記第２の整合部材及び前記第２の用紙保持部材を一体的に回動させる回動軸と、を有することを特徴とする中継搬送装置。
【０００８】
２．前記回動軸は、前記用紙収納部の下方であって、前記用紙収納部に収納される用紙の先端の辺に平行な方向に配置されていることを特徴とする前記１．に記載の中継搬送装置。
【０００９】
３．前記回動軸は、前記用紙収納部に収納された用紙の側端の辺に平行な方向に配置されていることを特徴とする前記１．に記載の中継搬送装置。
【００１０】
４．用紙に画像を形成する画像形成装置と、前記１．乃至３．のいずれかに記載の中継搬送装置と、前記中継搬送装置から搬送された用紙に対して後処理を行う後処理装置と、を有することを特徴とする画像形成システム。
【発明の効果】
【００１１】
本発明によれば、整合部材が邪魔にならず、詰まった用紙の取り出しが容易で、使い勝手の良い中間搬送装置を得ることが可能となる。
【発明を実施するための最良の形態】
【００１２】
以下、実施の形態により本発明を詳しく説明するが、本発明はこれに限定されるものではない。
【００１３】
図１は、本実施の形態に係る画像形成システムの全体構成図である。
【００１４】
［画像形成システム］
図示の画像形成装置Ａは、画像読取部１、画像処理部２、画像書込部３、画像形成部４、給紙搬送手段５、定着装置６、を備えている。
【００１５】
画像形成部４は、感光体ドラム４Ａ、帯電手段４Ｂ、現像手段４Ｃ、転写手段４Ｄ、分離手段４Ｅ、クリーニング手段４Ｆ等から構成されている。
【００１６】
給紙搬送手段５は給紙カセット５Ａ、第１給紙手段５Ｂ、第２給紙手段５Ｃ、搬送手段５Ｄ、排紙手段５Ｅ、自動両面コピー給紙手段（ＡＤＵ）５Ｆを備えている。
【００１７】
画像形成装置Ａの上部前面側には、入力手段及び表示手段から成る操作表示手段８が配置されている。画像形成装置Ａの上部には、自動原稿送り装置ＤＦが搭載されている。画像形成装置Ａの図示の左側面の排紙手段５Ｅ側には、中継搬送装置Ｂが、さらにその左側には後処理装置ＦＳが連結されている。
【００１８】
自動原稿送り装置ＤＦの原稿台上に載置された原稿は画像読取部１の光学系により原稿の片面又は両面の画像が読みとられ、光電変換されたアナログ信号は、画像処理部２におけるアナログ処理、Ａ／Ｄ変換、シェーディング補正、画像圧縮処理等の処理後に、画像書込部３に送られる。
【００１９】
画像書込部３においては、半導体レーザからの出力光が画像形成部４の感光体ドラム４Ａに照射され、潜像を形成する。画像形成部４においては、帯電、露光、現像、転写、分離、クリーニング等の処理が行われる。
【００２０】
第１給紙手段５Ｂにより給送された用紙Ｓは転写手段４Ｄにより画像が用紙Ｓに転写される。画像を担持した用紙Ｓは、定着装置６により定着され、排紙手段５Ｅから中継搬送装置Ｂに送り込まれる。或いは、自動両面コピー給紙手段５Ｆに送り込まれた片面画像処理済みの用紙Ｓは再び画像形成部４において両面画像処理後、排紙手段５Ｅにより排出され、中継搬送装置Ｂに送り込まれる。
【００２１】
画像形成装置Ａ内に配置された主制御手段９Ａの通信手段と、中継搬送装置Ｂ内に配置された中継搬送制御手段９Ｂの通信手段とは、通信回線９Ｃにより接続され、入力信号、制御信号を授受する。
【００２２】
大容量給紙装置ＬＴは、用紙積載手段７Ａ、第１給紙手段７Ｂ等から成り、連続して大量の用紙Ｓを給送して画像形成装置Ａに送り込む。
【００２３】
なお、大容量給紙装置ＬＴを後述の中継搬送装置Ｂに接続して、大容量給紙装置ＬＴに収容した印刷済みの大量の用紙Ｓを直接、中継搬送装置Ｂに送り込むようにしても良い。
【００２４】
中継搬送装置Ｂは、画像形成装置Ａの処理能力と後処理装置ＦＳの処理能力との間に差がある場合に、システム全体としての効率が低下することがないように、用紙を画像形成装置Ａから後処理装置ＦＳに受け渡す搬送装置である。
【００２５】
後処理装置ＦＳは中継搬送装置Ｂから排出された用紙Ｓ及び表紙用紙Ｋを搬送する搬送部２０、用紙Ｓ及び表紙用紙Ｋに対して二つ折り、三つ折り等の各種の折り処理を行う折り部２１、比較的少量の画像形成時に排出される用紙Ｓが排出される排紙皿２２及び大量の用紙や表紙用紙Ｋが排出される排紙皿２３を有する。
【００２６】
２４は画像形成装置Ａから排出された用紙Ｓに付加される表紙用紙を供給する給紙皿である。
【００２７】
画像形成装置Ａから中継搬送装置Ｂを経て後処理装置ＦＳに送られた用紙Ｓは水平搬送され、処理無しで、排紙皿２２又は２３に排出される。
【００２８】
或いは、後処理装置ＦＳに送られた用紙Ｓは、折り部２１に搬送され、折り部２１において折り処理された後に排紙皿２３に排出される。
【００２９】
さらに、給紙皿２４から給紙された表紙用紙Ｋも同様に、折り処理されることなく、又は折り処理された後に排紙皿２３に排出される。
【００３０】
後処理装置ＦＳとしては、図示の実施の形態においては、折り処理を行うものであるが、種々の処理機能を有する後処理装置を中継搬送装置Ｂの後に接続することが可能である。
【００３１】
また、中継搬送装置Ｂの後に複数の後処理装置を接続することも可能である。
【００３２】
後処理装置としては、穿孔処理、ステイプル処理、製本処理、シフト処理等の１以上の機能を有するものを中継搬送装置Ｂの下流に接続することができる。
【００３３】
〔中継搬送装置Ｂの構成〕
図２は、本実施の形態に係る中継搬送装置Ｂの搬送方向に直角な方向から見た正面断面図である。
【００３４】
中継搬送装置Ｂは、用紙搬入部１１、用紙収納部１２及び用紙搬出部１３を備えている。
【００３５】
用紙搬入部１１は画像形成装置Ａから排出された用紙を受け取って搬送する部分であり、用紙収納部１２は、用紙搬入部１１からの用紙を受け取って、搬送方向を反転する部分であり、複数枚の用紙を収納することができる。
【００３６】
用紙搬出部１３は用紙収納部１２で搬送方向が反転された用紙を排出する部分である。
【００３７】
中継搬送装置Ｂは、用紙が用紙搬入部１１から用紙収納部１２を経て、用紙搬出部１３から排出する搬送モードと用紙を用紙搬入部１１から用紙搬出部１３へと搬送し、用紙搬出部１３から排出する搬送モードとを有する。
【００３８】
用紙搬入部１１は、ローラ対Ｒ１、ローラ対Ｒ２、ローラＲ３及びガイド部材１２０、Ｇ１、Ｇ２、Ｇ３を有する。ガイド部材１２０は用紙を水平にガイドする固定のガイド部材であり、ガイド部材Ｇ１、Ｇ２は用紙を水平から垂直な下方へとガイドする。
【００３９】
ガイド部材Ｇ１は静止ガイド部材である。ガイド部材Ｇ２、ローラＲ４及びガイド部材Ｇ５は軸Ｘ１を中心に一体で回転可能なブロックを構成し、該ブロックは不図示のソレノイドにより駆動されて回転する。
【００４０】
ローラＲ４はローラＲ５に接触して従動回転し、ローラＲ５は不図示のモータにより駆動されて回転する。ローラ対Ｒ１、Ｒ２及びローラＲ３は、不図示のモータの駆動で回転する。ローラＲ３はローラ対Ｒ２の下方ローラの軸を中心に回転するレバー（図示せず）により支持されており、不図示のソレノイドにより駆動される前記レバーの回転で変位する。
【００４１】
ローラＲ４は、４個のローラで構成されており、幅方向（用紙搬送方向に直角な方向、以下同じ）の中心部にあるローラＲ４Ｂ、Ｒ４ＣはローラＲ３に接触し、両端部にあるローラＲ４Ａ、Ｒ４ＤはローラＲ５に接触している。
【００４２】
ローラＲ３、Ｒ４はガイド部材Ｇ１、Ｇ２が形成する搬送路の下流端に設けられ、ガイド部材Ｇ３はローラＲ３の下流部に設けられる。
【００４３】
ガイド部材Ｇ３は軸Ｘ２を中心に回転可能であり、不図示のソレノイドにより駆動されて回転する。
【００４４】
なお、下流、上流は用紙の搬送方向を基準として用いられる。
【００４５】
用紙収納部１２には、鉛直方向に伸びた面を有し、一対の互いに平行な、第１の用紙保持部材１２１Ａ及び第２の用紙保持部材１２１Ｂを有している。
【００４６】
第１の用紙保持部材１２１Ａ側には、用紙の搬送方向の整合を行う第１の整合部材である用紙ストッパ１２３が配置され、モータＭ４により駆動されるベルト１２５により、ガイド軸１２４に案内されて上下動可能となされている。
【００４７】
第２の用紙保持部材１２１Ｂ側には、用紙の搬送方向に直交する方向の整合を行う一対の第２の整合部材１２２が配置され、駆動部１２９により紙面表裏方向への移動が可能となされている。本例では、第２の整合部材１２２及び駆動部１２９は、第２の用紙保持部材１２１Ｂに一体的に組み付けられている。
【００４８】
図３は、第２の整合部材１２２及び駆動部１２９の概略構成を示す断面図である。同図は、図２に示すＣ−Ｃ線で切断した断面図である。
【００４９】
同図に示すように、一対の第２の整合部材１２２（一方を１２２Ａ、他方を１２２Ｂとする）は、モータＭ３により回転駆動されるプーリＰ１と、従動プーリＰ２に掛けられたベルト１３１に係止されたピン１３２Ａ、１３２Ｂにそれぞれ係合されている。これにより、第２の整合部材１２２Ａ及び１２２Ｂは、用紙の搬送方向に直交する方向（幅方向）の整合を行う。
【００５０】
図２に戻り、用紙搬入部１１を搬送された用紙は、用紙ストッパ１２３によりその下端が停止され、第１の用紙保持部材１２１Ａ及び第２の用紙保持部材１２１Ｂにより鉛直状態で保持される。
【００５１】
用紙搬出部１３は、静止ガイド部材である一対のガイド部材１２０、固定されたガイド部材Ｇ４、Ｇ５、変位可能なガイド部材Ｇ６、ローラＲ５及びローラ対Ｒ６、Ｒ７を有する。ガイド部材Ｇ６は不図示のソレノイドにより駆動されて軸Ｘ３を中心に回転し変位する。
【００５２】
１２７は用紙を水平搬送するか、用紙収納部１２に搬送するかを切り換える切り換えゲートである。
【００５３】
１２８は用紙の上端を規制する縦整合板である。ガイド部材Ｇ６と縦整合板１２８とは、一体の部材からなり、不図示のソレノイドのオフ時は、縦整合板１２８が用紙搬送路に臨んで、搬送される用紙の上端を停止させる。不図示のソレノイドのオンにより縦整合板１２８は用紙搬送路から退避するとともに、ガイド部材Ｇ６が軸Ｘ３を中心に回転し、対向するガイド部材Ｇ４との間の間隔を広げて、用紙搬送路を形成する。
【００５４】
以上が、本実施の形態に係る画像形成システムの概略である。
【００５５】
以下に、本実施の形態に係る中継搬送装置Ｂで用紙詰まりが発生した場合の、用紙の取り出し時の状態について説明する。なお、用紙詰まりが発生した場合には、動作の停止、用紙詰まり箇所の表示等を行うが、これらは周知の動作であるので省略する。
【００５６】
図４は、本実施の形態に係る中継搬送装置Ｂにおける用紙詰まりの際の、用紙取り出し時の状態の一例を示す断面図である。
【００５７】
図４に示すように、第２の用紙保持部材１２１Ｂには、用紙収納部１２の下方であって、用紙収納部１２に収納された用紙の先端の辺に平行に回動軸１４１が組み付けられている。
【００５８】
これにより、第２の用紙保持部材１２１Ｂ及び第２の整合部材１２２を、図２に示す状態から、図示の如く、回動軸１４１を回動中心として回動させることができるようになっている。この回動により、用紙収納部１２の上方で、第１の用紙保持部材１２１Ａと第２の用紙保持部材１２１Ｂ及び第２の整合部材１２２とを、大きく離間させることができる。
【００５９】
このように、第２の用紙保持部材１２１Ｂのみならず、第２の整合部材１２２をも回動させて第１の用紙保持部材１２１Ａから大きく離間させることで、使用者は第２の整合部材１２２が邪魔にならず、詰まった用紙の取り出しが容易に行えるようになる。
【００６０】
なお、ここでいう「平行」とは厳密な平行を意味するものでなく、第２の用紙保持部材１２１Ｂが図４に示すような回動動作を可能とする方向であればよい。
【００６１】
図５は、本実施の形態に係る中継搬送装置Ｂにおける用紙詰まりの際の、用紙取り出し時の状態の別の例を示す断面図である。
【００６２】
図５に示すように、第２の用紙保持部材１２１Ｂには、中継搬送装置Ｂが他の機器と接続される面と異なる側面のうちの奥側の面側にあって、用紙収納部１２に収納された用紙の側端の辺に平行に回動軸１４２が組み付けられている。
【００６３】
これにより、第２の用紙保持部材１２１Ｂ及び第２の整合部材１２２を、図３に示す状態から、図示の如く、回動軸１４２を回動中心として回動させることができるようになっている。この回動により、中継搬送装置ＢのドアＤ側で、第１の用紙保持部材１２１Ａと第２の用紙保持部材１２１Ｂ及び第２の整合部材１２２とを、大きく離間させることができる。
【００６４】
このように構成しても、第２の用紙保持部材１２１Ｂのみならず、第２の整合部材１２２をも回動させて第１の用紙保持部材１２１Ａから大きく離間させることができ、使用者は第２の整合部材１２２が邪魔にならず、詰まった用紙の取り出しが容易に行えるようになる。
【００６５】
なお、ここでいう「平行」とは厳密な平行を意味するものでなく、第２の用紙保持部材１２１Ｂが図５に示すような回動動作を可能とする方向であればよい。
【００６６】
以上説明したように、用紙の搬送方向に直交する方向の整合を行う整合部材と、該整合部材側に配置された用紙保持部材とを一体的に回動可能に構成し、紙詰まりが発生した場合には整合部材と用紙保持部材とを共に回動させることで、紙面幅方向の整合を行う整合部材が邪魔にならず、詰まった用紙の取り出しができるようになり極めて使い勝手の良い中継搬送装置を得ることが可能となる。
【図面の簡単な説明】
【００６７】
【図１】本実施の形態に係る画像形成システムの全体構成図である。
【図２】本実施の形態に係る中継搬送装置の搬送方向に直角な方向から見た正面断面図である。
【図３】第２の整合部材及び駆動部の概略構成を示す断面図である。
【図４】本実施の形態に係る中継搬送装置における用紙詰まりの際の、用紙取り出し時の状態の一例を示す断面図である。
【図５】本実施の形態に係る中継搬送装置における用紙詰まりの際の、用紙取り出し時の状態の別の例を示す断面図である。
【符号の説明】
【００６８】
１１  用紙搬入部
１２  用紙収納部
１３  用紙搬出部
１２１Ａ  第１の用紙保持部材
１２１Ｂ  第２の用紙保持部材
１２２  第２の整合部材
１２３  用紙ストッパ（第１の整合部材）
Ａ  画像形成装置
Ｂ  中継搬送装置
ＤＦ  自動原稿送り装置
ＦＳ  後処理装置
ＬＴ  大容量給紙装置
【図１】
2009274823.tif 000003
【図２】
2009274823.tif 000004
【図３】
2009274823.tif 000005
【図４】
2009274823.tif 000006
【図５】
2009274823.tif 000007